(57)【要約】【課題】発振周波数を変化させる際の切替え時に、発振レベルの低下が生じ、大きなレベル変動が起きることを防止した発振回路及び電子機器を提供することを目的とする。【解決手段】発振回路１は、横結合型２重モードの機能を有する弾性表面波素子２と、弾性表面波素子２の入出力端を終端する第１のマッチング回路３ａと第２のマッチング回路３ｂと、発振ループの位相を１８０°反転させる１８０°位相変換器４と、帰還回路に信号を伝達する増幅回路として機能する増幅器５と、により構成する。【選択図】図１
2008228142.tif 000002
【特許請求の範囲】
【請求項１】
２つの異なる発振モードを有する発振回路であって、
圧電基板上に配設した一対の反射器、及び前記一対の反射器の間に設けられた一対のＩＤＴを有する弾性表面波素子と、
前記弾性表面波素子の入力端子及び出力端子をそれぞれ終端する第１及び第２のマッチング回路と、
前記第１のマッチング回路に接続され、発振ループの位相を１８０°反転させる１８０°位相変換器と、
前記弾性表面波素子に信号を伝達する増幅器と、
を備えたことを特徴とする発振回路。
【請求項２】
前記弾性表面波素子が、一対のＩＤＴを弾性表面波の伝搬方向に対して平行に配置した横結合型２重モード弾性表面波素子であることを特徴とする請求項１に記載の発振回路。
【請求項３】
前記弾性表面波素子が、一対のＩＤＴを弾性表面波の伝搬方向に沿って配置した縦結合型２重モード弾性表面波素子であることを特徴とする請求項１に記載の発振回路。
【請求項４】
請求項１乃至３の何れか一項に記載の発振回路を備えたことを特徴とする電子機器。
【発明の詳細な説明】
【技術分野】
【０００１】
本発明は発振回路と発振回路を備えた電子機器に係り、特に、ＦＳＫ（Frequency Shift Keying）方式の通信を行う電子機器に好適なものである。
【背景技術】
【０００２】
従来、デジタル信号を通信する方法としてＦＳＫ方式による通信方法が知られている。ＦＳＫ方式とは、例えば「０」、「１」のデジタル信号に応じて搬送波の瞬時周波数を離散的に変化させる変調方式であり、振幅変化を一定にしながら変調をかけることが可能であることから、レベル変動や雑音の影響が少ない。また、回路構成が簡単であり、ＡＳＫ（Amplitude Shift Keying）方式やＰＳＫ（Phase Shift Keying）方式よりも帯域幅が広くなるという特徴がある。
上述のようにＦＳＫ方式の通信方法は利用価値が高く、この種の通信方法を利用する発振回路は種々提案されている。例えば特許文献１に提案されている発振回路もＦＳＫ方式の通信方法を利用するものである。そこで、従来の発振回路を、特許文献１を例として説明する。
【０００３】
図１０は、従来の発振回路の概要構成図である。発振回路１０１は、圧電基板上に配設した一対の反射器と、前記一対の反射器の間に並列して設けられ、櫛歯状電極からなる一対のＩＤＴ（interdigital transducer）とを有する弾性表面波素子１０２と、前記弾性表面波素子１０２に信号を伝達する増幅回路として機能する反転増幅器（以下、インバータという）１０３と、を基本構成とし、前記弾性表面波素子１０２と前記インバータ１０３とは帰還回路を構成する。また、前記インバータ１０３に対して、前記弾性表面波素子１０２を構成するＩＤＴ１０４ａと、ＩＤＴ１０４ｂとを並列に接続し、前記ＩＤＴ１０４ｂと、前記インバータ１０３との間に切替回路１０５ａ、１０５ｂを接続する。そして、弾性表面波素子の一方のＩＤＴ１０４ａとインバータ１０３との接続は固定とし、他方のＩＤＴ１０４ｂとインバータ１０３との接続は、切替回路１０５ａ、１０５ｂによって接続を切り替え可能とし、ＩＤＴ１０４ｂの櫛歯状電極への入出力信号を反転させることが可能となるように構成した。従って、振動モードの異なる複数の発振形式、例えばＳ０モードとＡ０モードを１つの弾性表面波素子によって実現することが可能である。よって、１つの弾性表面波素子によって周波数帯域の異なる複数の発振を奏することができる。
そこで、この発振回路をＦＳＫ変調回路として使用する場合は、入力するベースバンド信号に対応して、前記切替回路を切替えることにより、搬送波の瞬時周波数を中心周波数に対して±Δｆに変移させることができ、ベースバンド信号はＦＳＫ変調される。
【特許文献１】特開２００５−３０３３５９公報
【発明の開示】
【発明が解決しようとする課題】
【０００４】
しかしながら、従来の発振回路は、２つの発振周波数を得るために、切替回路を用いて弾性表面波素子を構成する一方のＩＤＴの接続を切替える構成としているが、切替え時に発振レベルの低下が生じるという問題点があった。
これは、ある固有の発振条件で発振していた発振回路が、突然他の発振条件に切替えられても、発振回路が直ちに追従できないためと考えられる。
【０００５】
発振レベルの低下が生じる原因は次の通りと考えられる。Ｑ値の高い共振系で弾性表面波素子が所定の周波数で共振している状態にある時に、切替回路を用いて一方のＩＤＴの接続を切替えることで共振系の共振周波数をｆ１からｆ２に変化させた場合、弾性表面波素子の弾性表面波振動の周波数は瞬時には共振系の共振周波数ｆ２に変化出来ず、ｆ２に変化するまでに所定の長さの応答時間が必要となる。よって、切替回路を用いて切り替えた瞬間に弾性表面波素子の弾性表面波振動の周波数と共振系の共振周波数ｆ２とが一時的にずれることになり、結果として発振レベルの低下をきたすものと考えられる。なお切替えた後は、時間の経過とともに除々に弾性表面波素子の弾性表面波振動の周波数が、共振系の共振周波数ｆ２に変化していくため発振レベルが回復していくことになると考えられる。
【０００６】
図１１は、従来の発振回路の発振レベルの時間的変化を示し、グラフの横軸は経過時間（μＳｅｃ）であり、縦軸は発振レベルの電圧（Ｖ）を示す。図１１は、発振周波数を切替えたときの発振レベルの時間的変化を示しており、発振周波数の切替え時に大きくレベル変動が生じている。なお、レベル変動のグラフは、２つの発振周波数信号の包絡線を示している。
本発明は、上述したような問題を解決するためになされたものであって、発振周波数を変化させる際の切替え時に、発振レベルの低下が生じ、大きなレベル変動が起きることを防止した発振回路及び電子機器を提供することを目的とする。
【課題を解決するための手段】
【０００７】
上記目的を達成するために本発明の発振回路は、２つの異なる発振モードを有する発振回路であって、圧電基板上に配設した一対の反射器、及び一対の反射器の間に設けられた一対のＩＤＴを有する弾性表面波素子と、弾性表面波素子の入力端子及び出力端子をそれぞれ終端する第１及び第２のマッチング回路と、第１のマッチング回路に接続され、発振ループの位相を１８０°反転させる１８０°位相変換器と、弾性表面波素子に信号を伝達する増幅器と、を備えるようにした。
このような本発明の発振回路によれば、弾性表面波素子のＩＤＴの入出力端子にマッチング回路を接続してインピーダンス整合を図った。そして、１８０°位相変換器により発振ループの位相を１８０°変換させることにより、２つの振動モードにより発振回路を発振させた。従って、発振周波数を切替える際に、弾性表面波素子の終端条件が変化することがなく、発振周波数の切替え時に生ずる発振周波数信号のレベル変動が低減された。
【０００８】
また、本発明の発振回路は、弾性表面波素子が、一対のＩＤＴを弾性表面波の伝搬方向に対して平行に配置した横結合型２重モード弾性表面波素子とした。
このような本発明の発振回路によれば、振動モードの異なる２つの発振形式であるＳ０モードとＡ０モードとを１つの弾性表面波素子によって実現することが可能となる。このため、１つの弾性表面波素子によって周波数帯域の異なる２つの発振を奏することが可能である。
【０００９】
また、本発明の発振回路は、弾性表面波素子が、一対のＩＤＴを弾性表面波の伝搬方向に沿って配置した縦結合型２重モード弾性表面波素子とした。
このような本発明の発振回路によれば、振動モードの異なる２つの発振形式であるＳ０モードとＡ０モードとを１つの弾性表面波素子によって実現することが可能となる。このため、１つの弾性表面波素子によって周波数帯域の異なる２つの発振を奏することが可能である。また、縦結合型２重モード弾性表面波素子を用いることにより、横結合型２重モード弾性表面波素子と比べて広帯域化がなされ、例えば、発振回路をＦＳＫ変調回路に用いた場合であれば、変移周波数幅を大きくすることができる。
また本発明の電子機器は、本発明の発振回路を搭載したことを特徴としている。
このような本発明の電子機器によれば、本発明の発振回路と同様の効果を得ることができ、小型かつ安価で精度の良い電子機器を提供することができる。
【発明を実施するための最良の形態】
【００１０】
以下、図示した実施形態に基づいて本発明を詳細に説明する。
本発明においては、弾性表面波素子を構成する一対のＩＤＴの入出力端子にマッチング回路を接続してインピーダンス整合を図るとともに、発振回路を２つの周波数で発振させるために一方のＩＤＴに入力する信号を１８０°位相変換器を用いて反転可能とした。従って、発振周波数を切替える際に、弾性表面波素子への終端条件が変化することがなくなることから、発振周波数の切替え時に発生していた発振周波数信号のレベル変動が低減された。
以下、本発明の第１の実施形態の発振回路について説明する。
第１の実施形態は、弾性表面波素子として、横結合型２重モード弾性表面波素子を用いたことが特徴である。
図１は、第１の実施形態に係る発振回路の構成を示す図である。
第１の実施形態に係る発振回路１は、横結合型２重モードの機能を有する弾性表面波素子２と、弾性表面波素子２の入出力端子を終端する第１のマッチング回路３ａ及び第２のマッチング回路３ｂと、発振ループの位相を１８０°反転させる１８０°位相変換器４と、帰還回路に信号を伝達する増幅回路として機能する増幅器５と、により構成する。
【００１１】
図２は弾性表面波素子２の構成を示す図である。
弾性表面波素子２は、圧電基板６と、この圧電基板６の一主面に配置された一対の反射器７（７ａ、７ｂ）と一対の反射器７の間に設けられた一対のＩＤＴ８（８ａ、８ｂ）とを形成する導電性パターンとから構成される。弾性表面波素子２は、一対のＩＤＴ８を弾性表面波の伝搬方向に対して平行に配置した横結合型２重モード弾性表面波素子である。
圧電基板６は、圧電性を有する単結晶、例えば、水晶、タンタル酸リチウム（ＬｉＴａＯ3）、四ホウ酸リチウム（Ｌｉ2Ｂ4Ｏ7）、ニオブ酸リチウム（ＬｉＮｂＯ3）や、ＺｎＯ薄膜を備えたサファイア基板等で構成すれば良い。
また、圧電基板６に配置される反射器７やＩＤＴ８を形成する導電性パターンは、金や銅、アルミニウムといった導電性金属を蒸着やスパッタ等により薄膜形成し、エッチング（例えばフォトリソグラフィ技術）によりパターン形成されることによって成るもので良い。
【００１２】
弾性表面波素子２を構成する圧電基板６に配置される反射器７は、梯子型に形成されるパターンであり、圧電基板６上には弾性表面波の伝搬方向に、梯子状の電極部９が直交するようにして配置する。また、反射器７は圧電基板６上に一対配設され、弾性表面波の伝搬方向に沿うように成される。
ＩＤＴ８を構成する櫛歯状電極１０は、信号の入力側となる電極と信号の出力側となる電極の２つを噛合わせることで１つのＩＤＴ８を構成する。
ＩＤＴ８は、圧電基板６上において、前記反射器７ａ、７ｂの間に一対、並列に配置される。詳細には、圧電基板６上において、反射器７ａ、７ｂの間に、弾性表面波の伝搬方向に沿った方向を軸として、一対のＩＤＴ８ａ、８ｂを線対称に配置する。なお、櫛歯状電極１０における櫛歯状の電極部は、弾性表面波の伝搬方向に直交するように配置する。
【００１３】
上記のように構成される弾性表面波素子２では、ＩＤＴ８ａ、８ｂを構成する櫛歯状電極１０ａの一端が信号の入力端子として、櫛歯状電極１０ｄの一端が信号の出力端子として使用され、櫛歯状電極１０ｂ、１０ｃの一端は接地する。そして、発振ループの位相特性を１８０°位相変換器４を用いて１８０°変換することにより、後述するＳ０モードとＡ０モードからなる２つの発振を実現している。このため、１つの弾性表面波素子２によって２つの周波数帯域の振動を奏することが可能となる。
【００１４】
次に、上述した異なる２つのモードの振動について説明する。
図３は、第１の実施形態の発振回路に備えた弾性表面波素子の２つの振動モードを示す図である。なお、これら２つの振動モードは弾性表面波の伝搬方向に直交する方向の振動モードを示している。
本実施形態において、２つの振動モードは、Ｓ０モード、Ａ０モードであり、図３に示すような振動形態をいう。すなわち、Ｓ０モードは基本モードとされる線対象モードであり、Ａ０モードは高次モードとされる点対称モードである。具体的には、Ｓ０モードとは、櫛歯状電極１０ｄおよび櫛歯状電極１０ａのそれぞれに互いに同相の交流信号を印加することによって、ＩＤＴ８ｂとＩＤＴ８ａとが弾性表面波の伝搬方向について互いに同相で弾性表面波を励起するモードである。そしてＡ０モードとは、櫛歯状電極１０ｄおよび櫛歯状電極１０ａのそれぞれに互いに逆相の交流信号を印加することによって、ＩＤＴ８ｂとＩＤＴ８ａとが弾性表面波の伝搬方向について互いに逆相で弾性表面波を励起するモードである。
【００１５】
次に、マッチング回路３について説明する。
マッチング回路３は、弾性表面波素子２と増幅器５の間、及び弾性表面波素子２と１８０°位相変換器４との間のインピーダンス整合を図るものであり、本実施形態では二種類のリアクタンス素子を用いたインピーダンス変換器である。その構成は、基本構成として四つの構成があり、弾性表面波素子２のインピーダンス特性、増幅器５のインピーダンス特性、および１８０°位相変換器４のインピーダンス特性に従って選択される。
図４は、マッチング回路の構成例を示す図である。図４に示す如くマッチング回路は、キャパシタ素子１１とインダクタ素子１２を用いて構成し、マッチング回路３１〜３４の４種類の基本形態の構成をとる。従って、マッチング回路３は、要求されるインピーダンス特性に合わせて４種類の基本形態より最適なものを選択すれば良い。本実施形態では、２素子の例を示したが、弾性表面波素子２、増幅器５、および１８０°位相変換器４のインピーダンスによっては１素子でマッチングが可能なことは云うまでもない。またキャパシタ素子同士またはインダクタ素子同士の構成が必要となるケースも考えられる。
【００１６】
次に、１８０°位相変換器４について説明する。
１８０°位相変換器４は、発振ループの位相を１８０°変換するものであり、前述したように発振ループの信号を１８０°位相変換することにより、異なるモードであるＳ０モードとＡ０モードの発振を実現している。発振ループの位相を１８０°変換する手段としては、スイッチを利用するもの、トランジスタを利用するものなど多種の手段があるが、その一例としてトランジスタを利用した手段について説明する。
【００１７】
図５は、１８０°位相変換器の構成例を示す図である。
１８０°位相変換器４は、トランジスタＴＲのコレクタにコレクタ抵抗Ｒｃを接続し、コレクタ抵抗Ｒｃの他端を電源Ｖｃｃに接続する。一方、トランジスタＴＲのエミッタにエミッタ抵抗Ｒｅを接続し、エミッタ抵抗Ｒｅの他端を接地する。さらに、トランジスタＴＲのエミッタとコレクタをスイッチ１３に接続して構成する。このとき、トランジスタＴＲのベースに入力された信号は、エミッタから同相の信号を得ることができ、一方、コレクタからは逆相の信号を得ることができる。従って、トランジスタＴＲのエミッタ側より出力した信号Ｓｅと、コレクタ側より出力した信号Ｓｃは、１８０°の位相差を持つ。そこで、スイッチ１３により信号Ｓｅか、信号Ｓｃを選択することにより、入力する信号の位相を１８０°変換することが可能となる。発振回路をＦＳＫ変調回路として用いる場合は、入力するベースバンド信号の「０」、「１」信号に対応してこのスイッチ１３を動作させると、「０」、「１」のデジタル信号に応じて搬送波の瞬時周波数を中心周波数に対して±Δｆに変移させるＦＳＫ変調信号が生成される。
次に、増幅器５は弾性表面波素子２に信号を伝達する増幅回路として機能し、所定の利得を有する増幅器やインバータなどが用いられる。
【００１８】
次に、第１の実施形態に係る発振回路の動作について、図１、及び図２を用いて説明する。発振回路１は、増幅器５の帰還回路として弾性表面波素子２と、マッチング回路３と、１８０°位相変換器４が接続されており、この発振ループのループ利得が０ｄＢ以上で、位相特性が０°のときに発振する。前述したように弾性表面波素子２に備えたＩＤＴは、ＩＤＴ８ａに信号が入力されて、音響結合してＩＤＴ８ｂより信号が出力される。このとき、１８０°位相変換器４が動作しておらず発振ループの位相変化がない場合、すなわちマッチング回路３ｂから増幅器５および１８０°位相変換器を通じてマッチング回路３ａに至るまでの位相差が０°の場合、ＩＤＴ８ａとＩＤＴ８ｂとで振動する弾性表面波が同位相となり、発振回路としてＳ０モードの発振がなされる。一方、１８０°位相器が動作して位相が１８０°変換される場合、ＩＤＴ８ａとＩＤＴ８ｂとで発振する弾性表面波は逆位相となり発振回路としてＡ０モードの発振がなされる。このように１８０°位相器４の動作を制御することにより、発振回路１は、１つの弾性表面波素子で２つのモードの発振を実現し、２周波発振器として使用することができる。
【００１９】
次に、本実施形態の発振回路において、ループ利得特性、及び位相特性をシミュレーションにより求め、具体的にその特性例について説明する。
図６は、本実施形態の発振回路の特性例を示すグラフ図である。図６（ａ）は、ループ利得と位相特性を示し、横軸は周波数（ＭＨｚ）であり、縦軸はループ利得（ｄＢ）と位相（°）を示す。また、図６（ｂ）は、発振レベルの時間的変化を示し、横軸は経過時間（μＳｅｃ）であり、縦軸は発振レベルの電圧（Ｖ）を示す。
一般的に、発振回路が発振する条件は、ループ利得が０ｄＢ以上であり、位相特性が０°の場合である。図６（ａ）において、位相特性１と位相特性２は、それぞれ発振ループの位相を１８０°変換しない時と、変換した時の位相特性であり、位相特性１と位相特性２は、１８０°の位相差を有している。そして、発振周波数３１２．０ＭＨｚ近辺では、位相特性１が０°のとき、ループ利得が０ｄＢ以上となってＳ０モードで発振し、３１２．３ＭＨｚ近辺では、位相特性２が３６０°のとき、ループ利得が０ｄＢ以上となって、Ａ０モードで発振している。グラフ図に示すように、位相特性、ループ利得特性ともに、発振周波数の切替え時になだらかな変化を示しており、このなだらかな変化が、発振回路の発振レベルの変動を低減していると考えられる。図６（ｂ）は、発振周波数を切替えたときの発振レベルの時間的変化を示しており、図１１に示した従来の発振レベルの時間的変化に比べ、本発明に係る発振回路の発振レベルの時間的変化は、格段の改善が図られている。なお、図６（ｂ）のレベル変動のグラフは、２つの発振周波数信号の包絡線を示している。
【００２０】
次に、本発明の第２の実施形態に係る発振回路について説明する。第２の実施形態は、弾性表面波素子として、縦結合型２重モード弾性表面波素子を用いたことが特徴である。
図７は、本発明の第２の実施形態に係る発振回路の構成を示す図である。
第２の実施形態に係る発振回路１４は、縦結合型２重モードの機能を有する弾性表面波素子１５と、弾性表面波素子１５の入出力端を終端する第１のマッチング回路１６ａと第２のマッチング回路１６ｂと、発振ループの位相を１８０°反転させる１８０°位相変換器４と、帰還回路に信号を伝達する増幅回路として機能する増幅器５と、により構成する。
【００２１】
第２の実施形態は、弾性表面波素子が第１の実施形態と異なり、他の構成要素は図１と同様であるので、弾性表面波素子１５について説明する。
図８は、第２の実施形態における前記弾性表面波素子１５の構成を示す図である。弾性表面波素子１５は、圧電基板６と、圧電基板６の一主面に配置された、一対の反射器１７（１７ａ、１７ｂ）と、前記一対の反射器１７の間に設けられたＩＤＴ１８（１８ａ、１８ｂ）とから構成される。弾性表面波素子１５は、縦結合２重モードの機能を有する弾性表面波素子であり、弾性表面波の伝搬方向に沿って２つのＩＤＴを縦に配置したことが特徴である。また、他の特徴については、前述した横結合型２重モード弾性表面波素子と同様である。
ＩＤＴ１８を構成する櫛歯状電極１９は、信号の入力側となる電極と信号の出力側となる電極の２つを噛合わせることで、１つのＩＤＴ１８を構成する。
【００２２】
上記のように構成される弾性表面波素子１５では、ＩＤＴ１８ａ、１８ｂを構成する櫛歯状電極１９ａの一端が信号の入力端子として、櫛歯状電極１９ｄの一端が信号の出力端子として使用され、櫛歯状電極１９ｂ、１９ｃの一端は接地する。そして、第２の実施形態においても、発振ループの位相特性を１８０°位相変換器４を用いて１８０°変換することにより、Ｓ０モードとＡ０モードからなる２つの異なるモードの発振を実現している。このため、１つの弾性表面波素子１５によって２つの周波数帯域の振動を奏することが可能となる。
【００２３】
次に、第２の実施形態に係る発振回路の動作を説明する。
発振回路１４は、増幅器５の帰還回路として弾性表面波素子１５と、マッチング回路１６と、１８０°位相変換器４が接続されており、この発振ループのループ利得が０ｄＢ以上で、位相特性が０°のときに発振する。前述したように弾性表面波素子１５に備えたＩＤＴは、ＩＤＴ１８ａに信号が入力されて、音響結合してＩＤＴ１８ｂより信号が出力される。このとき、１８０°位相変換器４が動作しておらず位相変化がない場合、ＩＤＴ１８ａとＩＤＴ１８ｂとで振動する弾性表面波が同位相となり、発振回路としてＳ０モードの発振がなされる。
【００２４】
一方、１８０°位相器が動作して位相が１８０°変換される場合、ＩＤＴ１８ａとＩＤＴ１８ｂとで振動する弾性表面波は逆位相となり発振回路としてＡ０モードの発振がなされる。このように上記構成の１８０°位相器４の動作を制御することにより、発振回路１４は、１つの弾性表面波素子で２つのモードの発振を実現し、２周波発振器として使用することができる。また、第２の実施形態の発振回路は、弾性表面波素子として縦結合２重モード弾性表面波素子を用いたので、第１の実施形態に示した横結合２重モード弾性表面波素子を用いた発振回路に比べて広帯域化がなされ、例えば、発振回路をＦＳＫ変調回路に用いた場合であれば、変移周波数幅を大きくすることができる。
【００２５】
次に、本実施形態に係る発振回路を用いた電子機器について説明する。
前述したような構成の発振回路は、種々の電子機器に搭載して利用することができる。そこで、図９に示すように、ＦＳＫ送信機に本実施形態の発振回路を搭載したものを例として電子機器の説明をする。
図９は、本実施形態の発振回路を搭載したＦＳＫ送信機の構成例を示す図であり、（ａ）は、その全体構成を示し、（ｂ）は、発振回路の構成を示す。ＦＳＫ送信機２０は、ＦＳＫデータを記録しておくメモリ２１と、メモリ２１内のＦＳＫデータに基づいてＦＳＫ変調を行うＦＳＫ変調回路２２と、メモリ２１内のＦＳＫデータを必要に応じてＦＳＫ変調回路２２へ送信するための制御回路２３と、ＦＳＫ変調信号を外部へ放射するための送信アンテナ２４と、により構成する。また、ＦＳＫ変調回路２２は、本発明に係る発振回路２５と、ＦＳＫ変調信号を所定のレベルに調整する送信増幅器と、からなる。
【００２６】
また、発振回路２５は、図９（ｂ）の如く、弾性表面波素子２と、弾性表面波素子２の入出力端子を終端する第１のマッチング回路３ａと第２のマッチング回路３ｂと、発振ループの位相を１８０°反転させる１８０°位相変換器４と、帰還回路に信号を伝達する増幅回路として機能する増幅器５と、により構成する。そして、発振回路２５は、制御回路２３が出力するＦＳＫデータを１８０°位相変換器４に入力することにより、ＦＳＫデータに応じて発振回路の発振周波数を中心周波数に対して±Δｆに変移させるＦＳＫ変調を施し、増幅器５よりＦＳＫ変調信号を出力して送信増幅器２６に入力する。
このような構成のＦＳＫ送信機２０によれば、発振回路２５内に備えた弾性表面波素子２を１つとすることができるため、機器の小型化、低コスト化を実現することができる。また、発振回路２５は、発振周波数を切替える際に、発振レベルの変動が少なく、ＦＳＫ送信機の性能を向上させることができる。
【図面の簡単な説明】
【００２７】
【図１】本発明の第１の実施形態に係る発振回路の構成を示す図である。
【図２】弾性表面波素子２の構成を示す図である。
【図３】弾性表面波素子の２つの振動モードを示す図である。
【図４】マッチング回路の構成例を示す図である。
【図５】１８０°位相変換器の構成例を示す図である。
【図６】本実施形態に係る発振回路の特性例を示すグラフ図である。
【図７】本発明の第２の実施形態に係る発振回路の構成を示す図である。
【図８】弾性表面波素子１５の構成を示す図である。
【図９】本実施形態に係る発振回路を搭載したＦＳＫ送信機の構成例を示す図である。
【図１０】従来の発振回路の概要構成図である。
【図１１】従来の発振回路の発振レベルの時間的変化を示すグラフ図である。
【符号の説明】
【００２８】
１、１４、２５…発振回路、２、１５…弾性表面波素子、３（３ａ、３ｂ）、１６（１６ａ、１６ｂ）…マッチング回路、４…１８０°位相変換器、５…増幅器、６…圧電基板、７（７ａ、７ｂ）、１７（１７ａ、１７ｂ）…反射器、８（８ａ、８ｂ）、１８（１８ａ、１８ｂ）…ＩＤＴ、９…電極部、１０（１０ａ、１０ｂ、１０Ｃ、１０ｄ）、１９（１９ａ、１９ｂ、１９Ｃ、１９ｄ）…櫛歯状電極、１１…キャパシタ素子、１２…インダクタ素子、１３…スイッチ、２０…ＦＳＫ送信機、２１…メモリ、２２…ＦＳＫ変調回路、２３…制御回路、２４…送信アンテナ、２６…送信増幅器
【図１】
2008228142.tif 000003
【図２】
2008228142.tif 000004
【図３】
2008228142.tif 000005
【図４】
2008228142.tif 000006
【図５】
2008228142.tif 000007
【図６】
2008228142.tif 000008
【図７】
2008228142.tif 000009
【図８】
2008228142.tif 000010
【図９】
2008228142.tif 000011
【図１０】
2008228142.tif 000012
【図１１】
2008228142.tif 000013